(57)【要約】【課題】汎用のスイッチを流用してコストを削減するとともに、汎用のスイッチを組み合わせることにより薄型化したスイッチ装置を提供することである。【解決手段】スイッチ装置１２は、押下操作され、且つスライド操作されるツマミ部１３ａと、ツマミ部１３ａの両側に位置して弾性を有するＵ字型のヒンジ部１３ｅ、１３ｆと、両ヒンジ部１３ｅ、１３ｆ間であってツマミ部１３ａの反対面に形成された３つの突起１３ｉ〜１３ｋと、が一体となった操作ツマミ１３と、ツマミ部１３ａの略中央部に設けられた第１の突起１３ｉに対向して基板１４上に設けられ、第１の突起１３ｉで押される第１のスイッチ１５と、ツマミ部が前方向にスライドした時、第２の突起１３ｊに対向するように基板１４上に設けられ、第２の突起１３ｊで押される第２のスイッチ１６と、ツマミ部が後方向にスライドした時、第３の突起１３ｋに対向するように基板１４上に設けられ、第３の突起１３ｋで押される第３のスイッチ１７とから構成される。【選択図】      図２
2004342428.tif 000002
【特許請求の範囲】
【請求項１】
押下操作され、且つ水平方向の第１の方向及び／又は第１の方向と反対方向である第２の方向にスライド操作されるツマミ部と、該ツマミ部のスライド方向の両側に位置して弾性を有するヒンジ部と、両ヒンジ部間であって前記ツマミ部の裏側に形成される複数の突起と、が一体となった操作ツマミと、基板上に前記突起と同数設けられ、前記突起で押されるスイッチと、を備えたスイッチ装置において、
前記スイッチのうち１つは前記突起に対向して設けられ、他のスイッチは前記ツマミ部が前記第１の方向又は第２の方向にスライドした時、前記突起に対向するように設けられており、前記ツマミ部を押下又はスライド及び押下操作することによって前記スイッチのうち何れか１つが前記突起により押されることを特徴とするスイッチ装置。
【請求項２】
前記突起が３つ設けられており、前記突起の１つである第１の突起に対向して基板上に設けられ、第１の突起で押される第１のスイッチと、
前記ツマミ部が前記第１の方向にスライドした時、前記突起の１つである第２の突起に対向するように基板上に設けられ、第２の突起で押される第２のスイッチと、
前記ツマミ部が前記第２の方向にスライドした時、前記突起の１つである第３の突起に対向するように基板上に設けられ、第３の突起で押される第３のスイッチと、を備えたことを特徴とする請求項１に記載のスイッチ装置。
【請求項３】
前記ツマミ部が前記第１の方向又は第２の方向にスライドした時、前記スイッチに対向しない前記突起のうち何れか１つの突起の押下方向及びスライド方向への移動を制限する移動制限部材を基板上に少なくとも１つ備えたことを特徴とする請求項１又は請求項２に記載のスイッチ装置。
【請求項４】
前記ツマミ部が押下操作された時、前記スイッチに対向しない前記突起のうち少なくとも１つの突起のスライド方向への移動が前記移動制限部材により制限されることを特徴とする請求項３に記載のスイッチ装置。
【請求項５】
前記ヒンジ部は弾性を有するようにＵ字型に薄肉形成されたことを特徴とする請求項１〜請求項４の何れかに記載のスイッチ装置。
【請求項６】
前記請求項１〜請求項５の何れかに記載のスイッチ装置を搭載した電子機器。
【発明の詳細な説明】
【０００１】
【発明の属する技術分野】
本発明は、電子機器のスイッチ装置に関するものである。
【０００２】
【従来の技術】
スイッチは電子機器に不可欠なものであり、その機構はボタンを押下するものやスライドするものなど、用途に合った様々な形態が採用されている。
【０００３】
例えば、携帯用の小型カセットプレーヤーには、再生ボタン、停止ボタン、早送りボタン、巻き戻しボタン、ホールドボタンなどの操作スイッチが設けられている。特許文献１では、複数種の操作部材（各種ボタン）を一体成形することにより、一つの部品として扱うことを可能としている。即ち、操作方向の異なる複数種の操作部材が筐体に取り付けられてなる装置において、複数種の操作部材を接続部を介して一体に成形し、この一体成形品を筐体に取り付けると同時に接続部を切断して、複数種の操作部材をそれぞれ所定の方向に操作可能に分離する構造としている。
【０００４】
また、１つのボタンが複数方向に稼働であったり、複数段階に押下可能であったりして、１つのスイッチ装置で複数の操作が可能になっているものもある。
【０００５】
例えば、３方向の操作が可能なスイッチ装置について説明する。図７は電子機器１００の概略外観斜視図である。スイッチ装置１０２の操作ツマミ１０３が筐体１０１の外部に突出している。操作ツマミ１０３は剛性体からなり、矢印Ｂ、Ｃ、Ｄ方向に可動である。
【０００６】
図８は、スイッチ装置１０２の分解斜視図である。基板１０４上にはスイッチユニット１０５が配設されている。このスイッチユニット１０５のシャフト１０５ａが矢印Ｂ、Ｃ、Ｄ方向に可動となっている。また、操作ツマミ１０３はユーザが操作するツマミ部１０３ａと、ツマミ部の周囲に形成されたつば部１０３ｂとが一体成形されている。
【０００７】
図９（ａ）は、スイッチ装置１０２の平面図、図９（ｂ）はスイッチ装置１０２の立面図である。操作ツマミ１０３の裏面に係合部１０３ｃが形成されており、シャフト１０５ａと係合することにより、操作ツマミ１０３が固定されている。
【０００８】
図１０は操作ツマミ１０３が押下された状態の立面図である。図９（ｂ）の状態からユーザによりツマミ部１０３ａが押下（矢印Ｂ方向に操作）されると、係合部１０３ｃに係合しているシャフト１０５ａが矢印Ｂ方向に移動する。
【０００９】
図１１は操作ツマミ１０３が矢印Ｃ方向に操作された状態の立面図である。図９（ｂ）の状態からユーザによりツマミ部１０３ａが矢印Ｃ方向に操作されると、係合部１０３ｃに係合しているシャフト１０５ａが矢印Ｃ方向に移動する。
【００１０】
図１２は操作ツマミ１０３が矢印Ｄ方向に操作された状態の立面図である。図９（ｂ）の状態からユーザによりツマミ部１０３ａが矢印Ｄ方向に操作されると、係合部１０３ｃに係合しているシャフト１０５ａが矢印Ｄ方向に移動する。
【００１１】
図１０〜図１２に示したように、操作ツマミ１０３の矢印Ｂ、Ｃ、Ｄ方向の操作に連動してシャフト１０５ａが移動し、３方向のスイッチとして機能する。
【００１２】
【特許文献１】
特開平９−２１９１２４号公報
【００１３】
【発明が解決しようとする課題】
特許文献１では、複数個の操作部材を一体成形することにより工数を削減しているが、それぞれの操作部材は１つのスイッチとして使用されているので、大きな配置スペースが必要となりデザインが煩雑になる。
【００１４】
また、図７〜図１２のスイッチ装置１０２では、スイッチユニット１０５が３方向に可動するので専用のユニットが必要になりコストがかかるとともに、ユニットのサイズが大きくなりデザイン上の制約が生じる。更に、図１０又は図１１のようにシャフト１０５ａがスライドしている状態で矢印Ｂ方向に押下されると、スイッチユニット１０５に負荷がかかり破損の原因となる。
【００１５】
本発明は、上記の問題点に鑑み、汎用のスイッチを流用してコストを削減するとともに、汎用のスイッチを複数組み合わせることにより薄型化したスイッチ装置を提供することを目的とする。また、このスイッチ装置を搭載した電子機器を提供することも目的とする。
【００１６】
【課題を解決するための手段】
上記目的を達成するために本発明は、押下操作され、且つ水平方向の第１の方向及び／又は第１の方向と反対方向である第２の方向にスライド操作されるツマミ部と、該ツマミ部のスライド方向の両側に位置して弾性を有するヒンジ部と、両ヒンジ部間であって前記ツマミ部の裏側に形成される複数の突起と、が一体となった操作ツマミと、基板上に前記突起と同数設けられ、前記突起で押されるスイッチと、を備えたスイッチ装置において、前記スイッチのうち１つは前記突起に対向して設けられ、他のスイッチは前記ツマミ部が前記第１の方向又は第２の方向にスライドした時、前記突起に対向するように設けられており、前記ツマミ部を押下又はスライド及び押下操作することによって前記スイッチのうち何れか１つが前記突起により押されることを特徴とするものである。
【００１７】
この構成によれば、ユーザによりツマミ部が押下又はスライドされると、ヒンジが撓んで複数の突起の何れかがそれに対応したスイッチを押す。そして、ユーザがツマミ部から指を離すと、ヒンジ部が元に戻り、操作ツマミ１３も元の位置に戻る。上記のスイッチには汎用のスイッチを用いることができるので、コストを削減するとともに、従来例のスイッチユニットを用いる場合よりもスイッチ装置を薄型化することができる。
【００１８】
また本発明は、上記構成のスイッチ装置において、前記突起が３つ設けられており、前記突起の１つである第１の突起に対向して基板上に設けられ、第１の突起で押される第１のスイッチと、前記ツマミ部が前記第１の方向にスライドした時、前記突起の１つである第２の突起に対向するように基板上に設けられ、第２の突起で押される第２のスイッチと、前記ツマミ部が前記第２の方向にスライドした時、前記突起の１つである第３の突起に対向するように基板上に設けられ、第３の突起で押される第３のスイッチと、を備えることとした。
【００１９】
この構成によれば、３方向の操作が可能なスイッチ装置において、コストを削減するとともに、従来例のスイッチユニットを用いる場合よりもスイッチ装置を薄型化することができ、スイッチの誤操作やスイッチや突起の破損を防ぐことができる。
【００２０】
また本発明は、上記構成のスイッチ装置において、前記ツマミ部が前記第１の方向又は第２の方向にスライドした時、前記スイッチに対向しない前記突起のうち何れか１つの突起の押下方向及びスライド方向への移動を制限する移動制限部材を基板上に少なくとも１つ備えることとした。
【００２１】
この構成によれば、操作ツマミが第１の方向又は第２の方向にスライドされている状態では、前記スイッチに対向しない突起のうち少なくとも１つは下方向及びスライド方向への移動が制限される。従って、操作ツマミが第１の方向又は第２の方向にスライドされ、何れかの突起によりスイッチが押下されている状態では操作ツマミをスライドさせることができないため、スイッチの誤操作や、スイッチや突起の破損を防ぐことができる。
【００２２】
また本発明は、上記構成のスイッチ装置において、前記ツマミ部が押下操作された時、前記スイッチに対向しない前記突起のうち少なくとも１つの突起のスライド方向への移動が前記移動制限部材により制限されることとした。
【００２３】
この構成によれば、操作ツマミが押下されている状態では、スイッチに対向していない他の突起の移動が制限されるため操作ツマミをスライドさせることができない。従って、何れかの突起によりスイッチが押下されている状態でのスイッチの誤操作や、スイッチや突起の破損を防ぐことができる。
【００２４】
また本発明は、上記構成のスイッチ装置において、前記ヒンジ部が弾性を有するようにＵ字型に薄肉形成することとした。これにより、伸び側・縮み側の何れの撓みに対しても良い弾性を示し、強度も持たせることができる。
【００２５】
また本発明の電子機器は、上記の何れかに記載のスイッチ装置を搭載するものである。
【００２６】
【発明の実施の形態】
以下に本発明の実施形態を図面を参照して説明する。図１は、スイッチ装置１２の分解斜視図、図２（ａ）はスイッチ装置１２の平面図、図２（ｂ）はスイッチ装置１２の立面図である。ここで、スイッチ装置１２は従来例の図６と同様、電子機器１００に搭載されるものとする。
【００２７】
基板１４上に３つのスイッチ１５〜１７が配設されている。スイッチ１５〜１７は円形の面１５ａ〜１７ａが押下されることによりＯＮとなる。これらスイッチ１５〜１７には汎用のスイッチを用いることができ、ＯＮ／ＯＦＦの単機能しか有さないので従来例で示したスイッチユニット１０５よりも小さく、薄型である。また、スイッチ１５とスイッチ１６との間の基板１４には第１の移動制限部材１８が形成され、スイッチ１５とスイッチ１７との間の基板１４には第２の移動制限部材１９が形成される。これら移動制限部材１８、１９は後述する第２及び第３の突起１３ｊ、１３ｋを係止するためのものである。
【００２８】
第１の移動制限部材１８の構成について、図３により更に詳細に説明する。図３は第１の移動制限部材付近の概略拡大図である。移動制限部材１８はスイッチ１６以上の高さを有する下段部１８ａと、下段部１８ａの上に形成される下段部１８ａより幅の狭い上段部１８ｂから構成されている。下段部１８ａ及び上段部１８ｂはスイッチ１５側の側面が面一に形成されており、移動制限部材１８は全体としてスイッチ１５側が高くなるような階段状となっている。第２の移動制限部材１９の構成についても、移動制限部材１８と同様であるため説明は省略する。なお、本実施形態においては、移動制限部材１８、１９は、共にスイッチ１５側が高くなるように階段状に形成されているが、移動制限部材１８、１９の形状はこれに限定されるものではなく、第２及び第３の突起１３ｊ、１３ｋを係止可能な他の形状とすることも可能である。
【００２９】
樹脂や金属からなる操作ツマミ１３は、押下又はスライド操作されるツマミ部１３ａと、ツマミ部１３ａの周囲に形成された平板状のつば部１３ｂと、電子機器１００の筺体１０１に固定される固定板１３ｃ、１３ｄと、つば部１３ｂと固定板１３ｃ、１３ｄとの間に位置して弾性を有するようにＵ字型に薄肉形成されたヒンジ部１３ｅ、１３ｆと、ヒンジ部１３ｅ、１３ｆとつば部１３ｂ又は固定板１３ｃ、１３ｄとを繋ぐ連結部１３ｇ、１３ｈと、ツマミ部１３ａの反対面の略中央部にスイッチ１５に対向して形成された第１の突起１３ｉと、ツマミ部１３ａが矢印Ｃの方向にスライドした時スイッチ１６に対向するように形成された第２の突起１３ｊと、ツマミ部１３ａが矢印Ｄの方向にスライドした時スイッチ１７に対向するように形成された第３の突起１３ｋとが一体に形成されている。
【００３０】
なお、ヒンジ部１３ｅ、１３ｆは矢印Ａ〜Ｄ方向に弾性を有する構造であれば特に限定はなく、例えば、Ｕ字型を複数面連ねた形状やＬ字型やＶ字型にしてもよい。特にＵ字型とすることにより、伸び側・縮み側の何れの撓みに対しても良い弾性を示し、強度ももたせることができる。
【００３１】
スイッチ装置１２が組立てられた状態では、第１の突起１３ｉはスイッチ１５の上方に位置する。また、第２の突起１３ｊはスイッチ１６の斜め上方に位置し、第３の突起１３ｋはスイッチ１７の斜め上方に位置する。以下に、このような状態のスイッチ装置１２を操作するときの各部の動作を説明する。
【００３２】
図４は操作ツマミ１３が押下された状態の立面図である。図２（ｂ）の状態からユーザによりツマミ部１３ａに矢印Ｂ方向の負荷Ｐが加えられ、ツマミ部１３ａが押下（矢印Ｂ方向に操作）されると、ヒンジ部１３ｅ、１３ｆが撓んで第１の突起１３ｉがスイッチ１５を押下する。同時に第２の突起１３ｊがスイッチ１６と第１の移動制限部材１８の間に、第３の突起１３ｋがスイッチ１７と第２の移動制限部材１９の間に係合する。そして、ユーザがツマミ部１３ａから指を離すと、ヒンジ部１３ｅ、１３ｆが元のＵ字型に戻り、操作ツマミ１３も元の位置に戻る（図２（ｂ）の状態）。
【００３３】
このように、操作ツマミ１３が押下されている状態では、第２及び第３の突起１３ｊ、１３ｋが階段状に形成された移動制限部材１８、１９の下段部１８ａ、１９ａの側面に当接しているので操作ツマミを矢印Ｃ又はＤ方向に動かすことができない。従って、スイッチ１５が押下されている状態でスイッチ１６又はスイッチ１７が操作されることがない。また、スイッチ１５と第１の突起１３ｉが矢印Ｃ又はＤ方向に擦れることがないので、スイッチ１５や突起１３ｉの破損を防ぐことができる。
【００３４】
図５は操作ツマミ１３が矢印Ｃ方向に操作され、続いて矢印Ｂ方向に操作された状態の立面図である。図２（ｂ）の状態からユーザによりツマミ部１３ａに矢印Ｃ方向の負荷Ｆ１が加えられ、ツマミ部１３ａが矢印Ｃ方向に操作されると、ヒンジ部１３ｅ、１３ｆが撓んで、第２の突起１３ｊがスイッチ１６の上方に移動する。続いて矢印Ｂ方向の負荷Ｐが加えられ、ツマミ部１３ａが矢印Ｂ方向に操作されると、第２の突起１３ｊがスイッチ１６を押下する。このように、操作ツマミ１３が矢印Ｃ方向にスライドされている状態では、第１及び第３の突起１３ｉ、１３ｋは対応するスイッチ１５、１７の位置からずれているので、操作ツマミ１３が矢印Ｂ方向に押されても第１及び第３の突起１３ｉ、１３ｋがスイッチ１５、１７を押下することはない。更に、第３の突起１３ｋは第２の移動制限部材１９の段差部に当接しているため、第３の突起１３ｋの矢印Ｂ方向への移動及び操作ツマミ１３の矢印Ｃ方向への移動を制限する。そして、ユーザがツマミ部１３ａから指を離すと、ヒンジ部１３ｅ、１３ｆが元のＵ字型に戻り、操作ツマミ１３も元の位置に戻る（図２（ｂ）の状態）。
【００３５】
図６は操作ツマミ１３が矢印Ｄ方向に操作され、続いて矢印Ｂ方向に操作された状態の立面図である。図２（ｂ）の状態からユーザによりツマミ部１３ａに矢印Ｄ方向の負荷Ｆ２が加えられ、ツマミ部１３ａが矢印Ｄ方向に操作されると、ヒンジ部１３ｅ、１３ｆが撓んで、第３の突起１３ｋがスイッチ１７の上方に移動する。続いて矢印Ｂ方向の負荷Ｐが加えられ、ツマミ部１３ａが矢印Ｂ方向に操作されると、第３の突起１３ｋがスイッチ１７を押下する。この場合も図４と同様に、操作ツマミ１３が矢印Ｄ方向にスライドされている状態では、第１及び第２の突起１３ｉ、１３ｊは対応するスイッチ１５、１６の位置からずれているので、操作ツマミ１３が矢印Ｂ方向に押されても第１及び第２の突起１３ｉ、１３ｊがスイッチ１５、１６を押下することはない。更に、第１の突起１３ｉは第１の移動制限部材１８の段差部に当接しているため、第１の突起１３ｉの矢印Ｂ方向への移動及び操作ツマミ１３の矢印Ｄ方向への移動を制限する。そして、ユーザがツマミ部１３ａから指を離すと、ヒンジ部１３ｅ、１３ｆが元のＵ字型に戻り、操作ツマミ１３も元の位置に戻る（図２（ｂ）の状態）。
【００３６】
図４〜図６に示したように、操作ツマミ１３の矢印Ｂ、Ｃ、Ｄ方向の操作によって各スイッチ１５〜１７が動作するので、スイッチ装置１２は３方向のスイッチとして機能する。
【００３７】
このスイッチ装置１２は、例えばヘアードライヤーに使用することができ、その機能としては、操作ツマミ１３を押下することによりオンとなる温風吹出し、矢印Ｃ方向へスライドさせた後、押下することによる冷風吹出し、矢印Ｄ方向へスライドさせた後、押下することによるターボ温風吹出しを割り当てることができる。
【００３８】
なお、本実施形態においては基板上に第２のスイッチ、第１のスイッチ、第３のスイッチの順に並んでいる場合について説明したが、本発明はこれに限定されるものではなく、第２のスイッチ又は第３のスイッチが中央に形成される構成とすることも可能である。その場合、３つの突起及び移動制限部材も各スイッチに対応する位置に形成される。
【００３９】
また、本実施形態においては３つのスイッチを備えたスイッチ装置について説明したが、本発明はこれに限定されるものではなく、スイッチが２つ又は４つ以上設けられている構成とすることもできる。スイッチが２つの場合、操作ツマミのスライドする方向は何れか１方向で足りる。またスイッチが４つ以上の場合、操作ツマミは、例えば第１又は第２の方向に段階的にスライドする構成とすることが考えられる。
【００４０】
また本発明は上記の他にも、カセットプレーヤー等のオーディオ機器をはじめ、各種電子機器に利用することができる。
【００４１】
【発明の効果】
本発明によると、複数のスイッチを１つの操作ツマミで操作できる構成にするために、汎用のスイッチを流用してコストを削減するとともに、汎用のスイッチを組み合わせることにより薄型化を実現している。
【００４２】
また、各スイッチ間に少なくとも１つの突起のスライド方向への移動を制限する移動制限部材を形成したことにより、スイッチが押下された状態でスライドされることを抑制でき、スイッチの破損を防止できる。
【図面の簡単な説明】
【図１】は、本発明のスイッチ装置の分解斜視図である。
【図２】は、本発明のスイッチ装置の平面図及び立面図である。
【図３】は、第１の移動制限部材付近の概略拡大図である。
【図４】は、本発明のスイッチ装置の操作ツマミが矢印Ｂ方向に押下された状態の立面図である。
【図５】は、本発明のスイッチ装置の操作ツマミが矢印Ｃ方向に操作され、続いて矢印Ｂ方向に押下された状態の立面図である。
【図６】は、本発明のスイッチ装置の操作ツマミが矢印Ｄ方向に操作され、続いて矢印Ｂ方向に押下された状態の立面図である。
【図７】は、従来の電子機器の概略外観斜視図である。
【図８】は、従来のスイッチ装置の分解斜視図である。
【図９】は、従来のスイッチ装置の平面図及び立面図である。
【図１０】は、従来のスイッチ装置の操作ツマミが押下された状態の立面図である。
【図１１】は、従来のスイッチ装置の操作ツマミが矢印Ｃ方向に操作された状態の立面図である。
【図１２】は、従来のスイッチ装置の操作ツマミが矢印Ｃ方向に操作された状態の立面図である。
【符号の説明】
１２．  スイッチ装置
１３．  操作ツマミ
１３ａ．ツマミ部
１３ｅ、１３ｆ．  ヒンジ部
１３ｉ．第１の突起
１３ｊ．第２の突起
１３ｋ．第３の突起
１４．  基板
１５．  第１のスイッチ
１６．  第２のスイッチ
１７．  第３のスイッチ
１８．  第１の移動制限部材
１９．  第２の移動制限部材
１００．  電子機器
【図１】
2004342428.tif 000003
【図２】
2004342428.tif 000004
【図３】
2004342428.tif 000005
【図４】
2004342428.tif 000006
【図５】
2004342428.tif 000007
【図６】
2004342428.tif 000008
【図７】
2004342428.tif 000009
【図８】
2004342428.tif 000010
【図９】
2004342428.tif 000011
【図１０】
2004342428.tif 000012
【図１１】
2004342428.tif 000013
【図１２】
2004342428.tif 000014